(57)【要約】【課題】防滑性能に優れたゴルフ靴の提供。【解決手段】ゴルフ靴のアウトソール１２は、ベース１４と多数の突起１６を備えている。アウトソール１２の底面は、爪先ゾーン２０、センターゾーン２２及び踵ゾーン２４に区画されうる。このアウトソール１２は、下記数式（１）を満たす。    ＨＴｍａｘ ＞ ＨＣｍａｘ      （１）この数式において、ＨＴｍａｘは爪先ゾーン２０に存在する突起１６ｔの中で最も高いものの高さであり、ＨＣｍａｘはセンターゾーン２２に存在する突起１６ｃの中で最も高いものの高さである。このアウトソール１２は、下記数式（２）を満たす。    ＨＨｍａｘ ＞ ＨＣｍａｘ      （２）この数式において、ＨＨｍａｘは踵ゾーン２４に存在する突起１６ｈの中で最も高いものの高さである。【選択図】図２
2011177403.tif 000002
【特許請求の範囲】
【請求項１】
ベースと、このベースから突出する多数の突起とを有するアウトソールを備えており、下記数式（１）を満たすゴルフ靴。
ＨＴｍａｘ ＞ ＨＣｍａｘ      （１）
（この数式において、ＨＴｍａｘは爪先ゾーンに存在する突起の中で最も高いものの高さであり、ＨＣｍａｘはセンターゾーンに存在する突起の中で最も高いものの高さである。上記アウトソールの底面の輪郭に画かれうる最長線の長さが長さＬとされ、上記最長線の爪先側端からの距離が０．１０Ｌである最長線上の点を通過し上記最長線と直交する直線が第一区画線とされ、上記最長線の踵側端からの距離が０．１０Ｌである最長線上の点を通過し上記最長線と直交する直線が第二区画線とされたとき、上記第一区画線よりも爪先側のゾーンが爪先ゾーンであり、上記第一区画線及び第二区画線に挟まれたゾーンがセンターゾーンである。）
【請求項２】
上記高さＨＴｍａｘとＨＣｍａｘとの差が０．３ｍｍ以上である請求項１に記載のゴルフ靴。
【請求項３】
下記数式（２）を満たす請求項１又は２に記載のゴルフ靴。
ＨＨｍａｘ ＞ ＨＣｍａｘ      （２）
（この数式において、ＨＨｍａｘは踵ゾーンに存在する突起の中で最も高いものの高さである。上記第二区画線よりも踵側のゾーンが踵ゾーンである。）
【請求項４】
上記高さＨＨｍａｘとＨＣｍａｘとの差が０．３ｍｍ以上である請求項３に記載のゴルフ靴。
【発明の詳細な説明】
【技術分野】
【０００１】
本発明は、ゴルフ靴に関する。詳細には、本発明は、ゴルフ靴のアウトソールの改良に関する。
【背景技術】
【０００２】
ゴルファーがゴルフボールを打撃するとき、左右の爪先を結ぶ線が打撃方向とほぼ平行となるようにアドレスする。右利きのゴルファーのアドレスでは、左足が打撃方向前側に位置し、右足が打撃方向後側に位置する。アドレスでは、ゴルフクラブのヘッドはゴルフボールの近くに位置する。この状態からゴルファーはテイクバックを開始し、ヘッドを後へ、次いで上方へと振り上げる。最もヘッドが振り上げられた位置がトップである。トップからダウンスイングが開始されてヘッドが振り下ろされ、ヘッドがゴルフボールと衝突する（インパクト）。インパクト後、ゴルファーはゴルフクラブを前方へ、次いで上方へと振る（フォロースルー）。フォロースルーの後、ゴルフクラブが静止する（フィニッシュ）。
【０００３】
スイングにおいて、ゴルファーの両足には大きな力がかかる。この力によって、ゴルフ靴が地面とスリップを起こすことがある。スリップが起こると、スイングフォームが乱れてミスショットが発生する。特に、トップからインパクトにかけて、スリップが生じやすい。
【０００４】
底面に金属又はセラミクスからなるスパイクピンを備えたゴルフ靴が存在する。スパイクピンは、スリップを防止する。しかし、このゴルフ靴では、スパイクピンがグリーン上の芝生、クラブハウスの床、ゴルフコース中に設けられた歩行用通路の路面等を傷める。スパイクピンを備えたゴルフ靴の使用を禁止しているゴルフ場が多い。スパイクピンを備えたゴルフ靴では下からの突き上げ感があり、ゴルファーにとって履き心地のよいものではない。スパイクピンを備えたゴルフ靴は、近年ではあまり用いられていない。
【０００５】
スパイクピンに代えてゴム又は合成樹脂からなる突起が底面に設けられたゴルフ靴が、普及している。このようなゴルフ靴は、特開２００３−２０４８０５公報に開示されている。このゴルフ靴では、芝生等が傷つけられることが少ない。このゴルフ靴は、履き心地に優れる。しかしこのゴルフ靴では、スパイクピンを有するゴルフ靴に比べ、防滑性能が十分ではない。
【０００６】
右利きのゴルファーは、トップからフィニッシュにかけて、左足を軸としてボディターンを行う。同時にゴルファーは、右足で地面を蹴ってその力をゴルフボールに伝える。右利きのゴルファーは、左足を軸足として使い、右足を蹴足として使う。左利きゴルファーの場合は、右足を軸足として使い、左足を蹴足として使う。軸足と蹴足との役割の相違が考慮されたゴルフ靴が、特開２００１−２９９４０６公報に開示されている。
【先行技術文献】
【特許文献】
【０００７】
【特許文献１】特開２００３−２０４８０５公報
【特許文献１】特開２００１−２９９４０６公報
【発明の概要】
【発明が解決しようとする課題】
【０００８】
突起を備えたゴルフ靴の防滑性能は、スパイクピンを備えたゴルフ靴のそれに比べて十分ではない。本発明の目的は、防滑性能に優れたゴルフ靴の提供にある。
【課題を解決するための手段】
【０００９】
本発明に係るゴルフ靴は、アウトソールを備えている。このアウトソールは、ベースと、このベースから突出する多数の突起とを有する。このゴルフ靴は、下記数式（１）を満たす。
ＨＴｍａｘ ＞ ＨＣｍａｘ      （１）
この数式において、ＨＴｍａｘは爪先ゾーンに存在する突起の中で最も高いものの高さであり、ＨＣｍａｘはセンターゾーンに存在する突起の中で最も高いものの高さである。上記アウトソールの底面の輪郭に画かれうる最長線の長さが長さＬとされ、上記最長線の爪先側端からの距離が０．１０Ｌである最長線上の点を通過し上記最長線と直交する直線が第一区画線とされ、上記最長線の踵側端からの距離が０．１０Ｌである最長線上の点を通過し上記最長線と直交する直線が第二区画線とされたとき、上記第一区画線よりも爪先側のゾーンが爪先ゾーンであり、上記第一区画線及び第二区画線に挟まれたゾーンがセンターゾーンである。
【００１０】
好ましくは、高さＨＴｍａｘとＨＣｍａｘとの差は、０．３ｍｍ以上である。
【００１１】
好ましくは、ゴルフ靴は下記数式（２）を満たす。
ＨＨｍａｘ ＞ ＨＣｍａｘ      （２）
この数式において、ＨＨｍａｘは踵ゾーンに存在する突起の中で最も高いものの高さである。第二区画線よりも踵側のゾーンが、踵ゾーンである。
【００１２】
好ましくは、高さＨＨｍａｘとＨＣｍａｘとの差は、０．３ｍｍ以上である。
【発明の効果】
【００１３】
本発明に係るゴルフ靴が軸足に着用されたとき、爪先ゾーンに存在しかつ大きな高さを有する突起が、トップにおいて地面に突き刺さる。この突き刺さりにより、トップでの軸足のスリップが抑制される。このゴルフ靴が蹴足に着用されたとき、爪先ゾーンに存在しかつ大きな高さを有する突起が、インパクトにおいて地面に突き刺さる。この突き刺さりにより、インパクトでの蹴足のスリップが抑制される。このゴルフ靴は、防滑性能に優れる。
【図面の簡単な説明】
【００１４】
【図１】図１は、本発明の一実施形態に係るゴルフ靴が示された一部切欠断面図である。
【図２】図２は、図１のゴルフ靴のアウトソールが示された底面図である。
【図３】図３は、図２のIII−III線に沿った断面図である。
【発明を実施するための形態】
【００１５】
以下、適宜図面が参照されつつ、好ましい実施形態に基づいて本発明が詳細に説明される。
【００１６】
図１に示されたゴルフ靴２は、アッパー４とソール６とを備えている。ソール６は、インソール８、ミッドソール１０及びアウトソール１２からなる。図１において、符号Ｙで示されているのは長さ方向であり、符号Ｚで示されているのは鉛直方向である。
【００１７】
アッパー４には、既知の材料が用いられる。天然皮革、合成皮革、人工皮革、織布等が、アッパー４に用いられうる。アッパー４の内面に、内材が貼り付けられてもよい。典型的な内材は、織布である。内材として、透湿防水材料が用いられてもよい。典型的な透湿防水材料は、ゴアテックス（登録商標）からなるブーティである。
【００１８】
インソール８は、ミッドソール１０と積層されている。インソール８は、織布又は発泡合成樹脂からなる。インソール８は、足と接触する。このインソール８は、ゴルフ靴２を履く動作において、足の滑りに寄与する。インソール８はさらに、履き心地に寄与する。インソール８が設けられなくてもよい。
【００１９】
ミッドソール１０は、発泡体からなる。好ましくは、ミッドソール１０は、多数の独立気泡を含む。着地時に、ミッドソール１０は圧縮変形を起こす。この圧縮変形により、衝撃が吸収される。ミッドソール１０における好ましい基材ポリマーは、エチレン−酢酸ビニル共重合体（ＥＶＡ）である。衝撃吸収性の観点から、ミッドソール１０の硬度は７０以下が好ましく、６５以下が特に好ましい。強度の観点から、硬度は４０以上が好ましい。硬度は、「ＪＩＳ  Ｋ  ６２５３」の規定に準拠して、タイプＡのデュロメーターにて測定される。
【００２０】
アウトソール１２は、ミッドソール１０の下側に位置している。アウトソール１２は、ミッドソール１０と接合されている。接合は、接着剤によって達成されうる。アウトソール１２は、架橋ゴムからなる。好ましい基材ゴムとしては、天然ゴム（ＮＲ）、イソプレンゴム（ＩＲ）、ブタジエンゴム（ＢＲ）、スチレン−ブタジエンゴム（ＳＢＲ）、アクリロニトリル−ブタジエンゴム（ＮＢＲ）及びウレタンゴムが例示される。アウトソール１２に、合成樹脂又は熱可塑性エラストマーが用いられてもよい。アウトソール１２は、気泡を含まない。耐摩耗性の観点から、アウトソール１２の硬度は７０以上が好ましく、７５以上が特に好ましい。足の変形への追従性の観点から、硬度は８５以下が好ましく、８０以下が特に好ましい。硬度は、「ＪＩＳ  Ｋ  ６２５３」の規定に準拠して、タイプＡのデュロメーターにて測定される。
【００２１】
図２には、アウトソール１２の底面が示されている。図２において符号Ｘで示されているのは、幅方向である。このアウトソール１２は、左足用である。換言すれば、このアウトソール１２は、右利きゴルファーにとっての軸足用であり、左利きゴルファーにとっての蹴足用である。右足用のアウトソール１２は、図２に示された形状が反転した形状を有する。
【００２２】
図２及び３に示されるように、このアウトソール１２は、ベース１４と多数の突起１６とを備えている。それぞれの突起１６は、ベース１４から、鉛直方向下向きに突出している。この突起１６は、ゴルフ靴２の防滑性能に寄与する。突起１６は、接地面１８を有している。防滑性能の観点から、突起１６とこれに隣接する他の突起１６の間の距離は、５ｍｍ以上が好ましい。
【００２３】
図２において符号Ｓｍで示されているのは、最長線である。最長線Ｓｍは、アウトソール１２の底面の輪郭内に画かれうる線分の中で最も長い線分である。最長線Ｓｍの長さは、符号Ｌで示されている。符号Ｐｔで示されているのは最長線Ｓｍの爪先側端であり、符号Ｐｈで示されているのは最長線Ｓｍの踵側端である。最長線Ｓｍは、長さ方向Ｙに沿っている。
【００２４】
図２には、第一区画線Ｓ１が示されている。第一区画線Ｓ１は、点Ｐ１を通過する。点Ｐ１と爪先側端Ｐｔとの距離は、最長線Ｓｍの長さＬの０．１０倍である。第一区画線Ｓ１は、最長線Ｓｍと直交している。
【００２５】
図２には、第二区画線Ｓ２が示されている。第二区画線Ｓ２は、点Ｐ２を通過する。点Ｐ２と踵側端Ｐｈとの距離は、最長線Ｓｍの長さＬの０．１０倍である。第二区画線Ｓ２は、最長線Ｓｍと直交している。
【００２６】
図２に示されるように、アウトソール１２の底面は、爪先ゾーン２０、センターゾーン２２及び踵ゾーン２４に区画されうる。爪先ゾーン２０は、第一区画線Ｓ１よりも爪先側に位置している。センターゾーン２２は、第一区画線Ｓ１及び第二区画線Ｓ２に挟まれている。踵ゾーン２４は、第二区画線Ｓ２よりも踵側に位置している。
【００２７】
爪先ゾーン２０、センターゾーン２２及び踵ゾーン２４は、それぞれ、突起１６を有している。接地面１８が第一区画線Ｓ１よりも爪先側にある突起１６ｔは、爪先ゾーン２０に属する。接地面１８が第一区画線Ｓ１と第二区画線Ｓ２との間にある突起１６ｃは、センターゾーン２２に属する。接地面１８が第二区画線Ｓ２よりも踵側にある突起１６ｈは、踵ゾーン２４に属する。
【００２８】
接地面１８が第一区画線Ｓ１と交差し、かつ、接地面１８のうち第一区画線Ｓ１よりも爪先側の部分の面積が接地面１８のうち第一区画線Ｓ１よりも踵側の部分の面積よりも大きい突起１６は、爪先ゾーン２０に属する。接地面１８が第一区画線Ｓ１と交差し、かつ、接地面１８のうち第一区画線Ｓ１よりも踵側の部分の面積が接地面１８のうち第一区画線Ｓ１よりも爪先側の部分の面積よりも大きい突起１６は、センターゾーン２２に属する。
【００２９】
接地面１８が第二区画線Ｓ２と交差し、かつ、接地面１８のうち第二区画線Ｓ２よりも爪先側の部分の面積が接地面１８のうち第二区画線Ｓ２よりも踵側の部分の面積よりも大きい突起１６は、センターゾーン２２に属する。接地面１８が第二区画線Ｓ２と交差し、かつ、接地面１８のうち第二区画線Ｓ２よりも踵側の部分の面積が接地面１８のうち第二区画線Ｓ２よりも爪先側の部分の面積よりも大きい突起１６は、踵ゾーン２４に属する。
【００３０】
図３において、矢印ＨＴで示されているのは爪先ゾーン２０に存在する突起１６ｔの高さであり、矢印ＨＣで示されているのはセンターゾーン２２に存在する突起１６ｃの高さであり、矢印ＨＨで示されているのは踵ゾーン２４に存在する突起１６ｈの高さである。防滑性能の観点から、これら突起１６の高さ（ＨＴ、ＨＣ及びＨＨ）は２ｍｍ以上が好ましく、４ｍｍ以上が特に好ましい。突起１６の剛性の観点から、この高さは１５ｍｍ以下が好ましく、１２ｍｍ以下が特に好ましい。
【００３１】
このアウトソール１２は、下記数式（１）を満たす。
ＨＴｍａｘ ＞ ＨＣｍａｘ      （１）
この数式において、ＨＴｍａｘは爪先ゾーン２０に存在する突起１６ｔの中で最も高いものの高さであり、ＨＣｍａｘはセンターゾーン２２に存在する突起１６ｃの中で最も高いものの高さである。ＨＴｍａｘは、ＨＣｍａｘよりも大きい。換言すれば、このアウトソール１２は、大きな高さを有する突起１６ｔを爪先ゾーン２０に備えている。
【００３２】
スイングのトップにおいて、軸足の爪先ゾーン２０に大きな力がかかる。このゴルフ靴２が軸足に着用されたとき、爪先ゾーン２０に存在しかつ大きな高さを有する突起１６ｔが、トップにおいて地面に突き刺さる。センターゾーン２２に存在する突起１６ｃは低いので、爪先ゾーン２０に存在する突起１６ｔの突き刺さりを妨げない。このゴルフ靴２では、トップでの軸足のスリップが抑制される。
【００３３】
インパクトにおいて、蹴足の爪先ゾーン２０に大きな力がかかる。このゴルフ靴２が蹴足に着用されたとき、爪先ゾーン２０に存在しかつ大きな高さを有する突起１６ｔが、インパクトにおいて地面に突き刺さる。センターゾーン２２に存在する突起１６ｃは低いので、爪先ゾーン２０に存在する突起１６ｔの突き刺さりを妨げない。このゴルフ靴２では、インパクトでの蹴足のスリップが抑制される。
【００３４】
好ましくは、爪先ゾーン２０に存在する突起１６ｔの中で最も高い突起１６ｔは、最長線Ｓｍよりもインサイドに存在する。この突起１６ｔは、トップ及びインパクトにおいて、スリップを十分に抑制する。
【００３５】
爪先ゾーン２０に存在する全ての突起１６ｔが、ＨＣｍａｘより大きな高さＨＴを有してもよい。爪先ゾーン２０に存在する突起１６ｔの中の一部が、ＨＣｍａｘより大きな高さＨＴを有してもよい。爪先ゾーン２０に存在し、かつＨＣｍａｘより大きな高さＨＴを有する突起１６ｔの数は、２以上が好ましく、３以上がより好ましく、４以上が特に好ましい。爪先ゾーン２０に存在する突起１６ｔの総数は、４以上が好ましく、６以上が特に好ましい。
【００３６】
防滑性能の観点から、差（ＨＴｍａｘ−ＨＣｍａｘ）は０．５ｍｍ以上が好ましく、２．０ｍｍ以上がより好ましく、４．０ｍｍ以上が特に好ましい。躓き防止及び履き心地の観点から、差（ＨＴｍａｘ−ＨＣｍａｘ）は７．０ｍｍ以下が好ましく、５．０ｍｍ以下が特に好ましい。
【００３７】
好ましくは、このアウトソール１２は、下記数式（３）を満たす。
ＨＴａｖｅ ＞ ＨＣａｖｅ      （３）
この数式において、ＨＴａｖｅは爪先ゾーン２０に存在する全ての突起１６ｔの高さＨＴの平均値であり、ＨＣａｖｅはセンターゾーン２２に存在する全ての突起１６ｃの高さＨＣの平均値である。この数式（３）を満たすゴルフ靴２は、防滑性能に優れる。防滑性能の観点から、差（ＨＴａｖｅ−ＨＣａｖｅ）は０．３ｍｍ以上が好ましく、１．０ｍｍ以上がより好ましく、２．０ｍｍ以上が特に好ましい。躓き防止及び履き心地の観点から、差（ＨＴａｖｅ−ＨＣａｖｅ）は７．０ｍｍ以下が好ましく、５．０ｍｍ以下が特に好ましい。
【００３８】
爪先ゾーン２０に存在しかつＨＣｍａｘより大きな高さＨＴを有する突起１６ｔの接地面積は、１５０ｍｍ２以下が好ましい。接地面積が１５０ｍｍ２以下である突起１６ｔは、地面によく突き刺さる。この観点から、接地面積は１２０ｍｍ２以下がより好ましく、１００ｍｍ２以下が特に好ましい。接地面積は、１０ｍｍ２以上が好ましい。
【００３９】
このアウトソール１２は、下記数式（２）を満たす。
ＨＨｍａｘ ＞ ＨＣｍａｘ      （２）
この数式において、ＨＨｍａｘは踵ゾーン２４に存在する突起１６ｈの中で最も高いものの高さであり、ＨＣｍａｘはセンターゾーン２２に存在する突起１６ｃの中で最も高いものの高さである。ＨＨｍａｘは、ＨＣｍａｘよりも大きい。換言すれば、このアウトソール１２は、大きな高さを有する突起１６ｔを踵ゾーン２４に備えている。
【００４０】
アドレスからトップにかけて、ゴルファーの上半身が、下半身に対して捻られる。インパクトでは、この捻りの戻りにより、ゴルフクラブのヘッドが高速で移動する。この捻りは、蹴足のゴルフ靴２に回転の力をかける。具体的には、爪先がアウトサイドに移動し踵がインサイドに移動する方向の力が、ゴルフ靴２にかかる。
【００４１】
このゴルフ靴２が蹴足に着用されたとき、爪先ゾーン２０に存在しかつ大きな高さを有する突起１６ｔと、踵ゾーン２４に存在しかつ大きな高さを有する突起１６ｈとが、地面に突き刺さる。これらの突起１６の突き刺さりにより、ゴルフ靴２の回転が抑制される。このゴルフ靴２を着用したゴルファーは、下半身に対して上半身を、十分に捻ることができる。
【００４２】
インパクトでは、軸足のゴルフ靴２に回転の力がかかる。具体的には、爪先がアウトサイドに移動し踵がインサイドに移動する方向の力が、ゴルフ靴２にかかる。このゴルフ靴２が軸足に着用されたとき、爪先ゾーン２０に存在しかつ大きな高さを有する突起１６ｔと、踵ゾーン２４に存在しかつ大きな高さを有する突起１６ｈとが、地面に突き刺さる。これらの突起１６の突き刺さりにより、ゴルフ靴２の回転が抑制される。軸足のゴルフ靴２の回転が抑制されたスイングでは、ゴルフボールに伝わるエネルギーが大きい。
【００４３】
踵ゾーン２４に存在する全ての突起１６ｈが、ＨＣｍａｘより大きな高さＨＨを有してもよい。踵ゾーン２４に存在する突起１６ｈの中の一部が、ＨＣｍａｘより大きな高さＨＨを有してもよい。踵ゾーン２４に存在し、かつＨＣｍａｘより大きな高さＨＨを有する突起１６ｈの数は、２以上が好ましく、３以上がより好ましく、４以上が特に好ましい。踵ゾーン２４に存在する突起１６ｈの総数は、４以上が好ましく、６以上が特に好ましい。
【００４４】
防滑性能の観点から、差（ＨＨｍａｘ−ＨＣｍａｘ）は０．５ｍｍ以上が好ましく、２．０ｍｍ以上がより好ましく、４．０ｍｍ以上が特に好ましい。躓き防止及び履き心地の観点から、差（ＨＨｍａｘ−ＨＣｍａｘ）は７．０ｍｍ以下が好ましく、５．０ｍｍ以下が特に好ましい。
【００４５】
好ましくは、このアウトソール１２は、下記数式（４）を満たす。
ＨＨａｖｅ ＞ ＨＣａｖｅ      （４）
この数式において、ＨＨａｖｅは踵ゾーン２４に存在する全ての突起１６ｔの高さＨＨの平均値であり、ＨＣａｖｅはセンターゾーン２２に存在する全ての突起１６ｃの高さＨＣの平均値である。この数式（４）を満たすゴルフ靴２は、防滑性能に優れる。防滑性能の観点から、差（ＨＨａｖｅ−ＨＣａｖｅ）は０．３ｍｍ以上が好ましく、１．０ｍｍ以上がより好ましく、２．０ｍｍ以上が特に好ましい。躓き防止及び履き心地の観点から、差（ＨＨａｖｅ−ＨＣａｖｅ）は７．０ｍｍ以下が好ましく、５．０ｍｍ以下が特に好ましい。
【００４６】
踵ゾーン２４に存在しかつＨＣｍａｘより大きな高さＨＨを有する突起１６ｈの接地面積は、１５０ｍｍ２以下が好ましい。接地面積が１５０ｍｍ２以下である突起１６ｈは、地面によく突き刺さる。この観点から、接地面積は１２０ｍｍ２以下がより好ましく、１００ｍｍ２以下が特に好ましい。接地面積は、１０ｍｍ２以上が好ましい。
【実施例】
【００４７】
以下、実施例によって本発明の効果が明らかにされるが、この実施例の記載に基づいて本発明が限定的に解釈されるべきではない。
【００４８】
［実施例１］
１００質量部のアクリロニトリル−ブタジエンゴム（日本ゼオン社の商品名「ニッポールＤＮ２００」）、４５質量部のシリカ（デグサ社の商品名「ウルトラジルＶＮ３」）、シランカップリング剤としての４．０質量部のビス−（３−トリエトキシシリルプロピル）テトラスルフェン（デグサ社の商品名「Ｓｉ６９」 ）、可塑剤としての２．０質量部のジオクチルフタレート（三建化工社の商品名「ＤＯＰ」）、老化防止剤としての２．０質量部の２，６−ジ−ｔｅｒｔ−ブチル−４−メチルフェノール（大内新興化学工業社の商品名「ノクラック２００」）、０．５質量部の他の老化防止剤「大内新興化学工業社の商品名「サンノックＮ」）、３．０質量部の酸化亜鉛及び１．０質量部のステアリン酸をバンバリーミキサーで混練し、混練物を得た。この混練物をオープンロールに投入し、０．５質量部の硫黄、加硫促進剤としての１．３質量部のジベンゾチアジルジスルフィド（大内新興化学工業社の商品名「ノクセラーＤＭ」）、他の加硫促進剤としての０．７質量部のテトラエチルチウラムジスルフィド（大内新興化学工業社の商品名「ノクセラーＴＥＴ」）及びさらに他の加硫促進剤としての０．１質量部のジ−ｏ−トリルグアニジン（大内新興化学工業社の商品名「ノクセラーＤＴ」）を添加して混練し、ゴム組成物を得た。このゴム組成物を、金型のキャビティに充填した。そして、１６０℃の温度下で８分間加圧及び加熱して、アウトソールを得た。このアウトソールは、図２及び３に示された形状を有している。このアウトソールにミッドソール、インソール及びアッパーを取り付けて、実施例１のゴルフ靴を得た。
【００４９】
このゴルフ靴は、爪先ゾーンに存在し高さが９．０ｍｍである８個の突起を備えている。このゴルフ靴は、センターゾーンに存在し高さが５．０ｍｍである８１個の突起を備えている。このゴルフ靴は、踵ゾーンに存在し高さが５．０ｍｍである８個の突起を備えている。
【００５０】
［実施例２−４及び比較例］
他のモールドを用い、爪先ゾーンの突起の高さを下記の表１に示される通りとした他は実施例１と同様にして、実施例２−４及び比較例のゴルフ靴を得た。
【００５１】
［実施例５−８］
他のモールドを用い、踵ゾーンの突起の高さを下記の表２に示される通りとした他は実施例１と同様にして、実施例５−８のゴルフ靴を得た。
【００５２】
［実施例９−１０］
他のモールドを用い、爪先ゾーンの突起の高さを下記の表３に示される通りとした他は実施例１と同様にして、実施例９−１０のゴルフ靴を得た。実施例９のゴルフ靴の爪先ゾーンには、高さが５．０ｍｍである６個の突起と、高さが９．０ｍｍである２個の突起とが存在している。実施例１０のゴルフ靴の爪先ゾーンには、高さが５．０ｍｍである４個の突起と、高さが９．０ｍｍである４個の突起とが存在している。
【００５３】
［実施例１１−１２］
他のモールドを用い、踵ゾーンの突起の高さを下記の表３に示される通りとした他は実施例１と同様にして、実施例１１−１２のゴルフ靴を得た。実施例１１のゴルフ靴の踵ゾーンには、高さが５．０ｍｍである６個の突起と、高さが９．０ｍｍである２個の突起とが存在している。実施例１２のゴルフ靴の踵ゾーンには、高さが５．０ｍｍである４個の突起と、高さが９．０ｍｍである４個の突起とが存在している。
【００５４】
［防滑性能］
ゴルフ靴をゴルファーに着用させ、ゴルフ場のティグラウンドで、ドライバーにてゴルフボールを打撃させた。１０名のゴルファーに、防滑性能について、格付けさせた。この平均値が、下記の表１から３に示されている。この値が大きいほど好ましい。
【００５５】
［躓き難さ］
ゴルフ靴をゴルファーに着用させ、ゴルフ場のフェアウエイを歩行させた。１０名のゴルファーに、躓き難さについて、格付けさせた。この平均値が、下記の表１から３に示されている。この値が大きいほど好ましい。
【００５６】
【表１】
2011177403.tif 000003
【００５７】
【表２】
2011177403.tif 000004
【００５８】
【表３】
2011177403.tif 000005
【００５９】
表１から３に示されるように、実施例のゴルフ靴は防滑性能に優れている。この評価結果から、本発明の優位性は明らかである。
【産業上の利用可能性】
【００６０】
本発明に係るゴルフ靴は、ゴルフ場でのプレーのときに着用されうる。このゴルフ靴は、ドライビングレンジでのプラクティスのときにも着用されうる。
【符号の説明】
【００６１】
２・・・ゴルフ靴
１２・・・アウトソール
１４・・・ベース
１６、１６ｔ、１６ｃ、１６ｈ・・・突起
１８・・・接地面
２０・・・爪先ゾーン
２２・・・センターゾーン
２４・・・踵ゾーン
Ｓｍ・・・最長線
Ｓ１・・・第一区画線
Ｓ２・・・第二区画線
【図１】
2011177403.tif 000006
【図２】
2011177403.tif 000007
【図３】
2011177403.tif 000008